【手続補正書】
【提出日】平成23年8月3日(2011.8.3)
【手続補正１】
【補正対象書類名】特許請求の範囲
【補正対象項目名】全文
【補正方法】変更
【補正の内容】
【特許請求の範囲】
【請求項１】
（Ａ）顔料分散剤と、（Ｂ）顔料と、（Ｆ）溶媒とを有する顔料分散液であって、前記（Ａ）顔料分散剤が、下記一般式（Ｉ）で表される窒素含有モノマーと、ポリマー鎖及びその末端にエチレン性不飽和二重結合を有する基からなる重合性オリゴマーとを共重合成分として含有するグラフト共重合体であり、さらに前記窒素含有モノマーが有するアミノ基と下記一般式（ＩＩ）で表される有機リン酸化合物とが塩を形成したグラフト共重合体であることを特徴とするカラーフィルタ用顔料分散液。
【化１】
2009265649.tif 000001
【化２】
2009265649.tif 000002
［式（Ｉ）〜（ＩＩ）中、Ｒ１は、水素原子又はメチル基、Ｒ２及びＲ３は、それぞれ独立に水素原子、又は炭素数１〜８のアルキル基、Ａは、炭素数１〜８のアルキレン基、−［ＣＨ（Ｒ６）−ＣＨ（Ｒ７）−Ｏ］ｘ−ＣＨ（Ｒ６）−ＣＨ（Ｒ７）−又は−［（ＣＨ２）ｙ−Ｏ］ｚ−（ＣＨ２）ｙ−で示される２価の基、Ｒ４及びＲ４’は、それぞれ独立に水素原子、水酸基、炭素数１〜１８のアルキル基、炭素数２〜１８のアルケニル基、アラルキル基、アリール基、−［ＣＨ（Ｒ９）−ＣＨ（Ｒ１０）−Ｏ］ａ−Ｒ８、−［（ＣＨ２）ｂ−Ｏ］ｃ−Ｒ８、又は−Ｏ−Ｒ４”で示される１価の基であり、Ｒ４及びＲ４’のいずれかは炭素原子を含む。
Ｒ４”は、炭素数１〜１８のアルキル基、炭素数２〜１８のアルケニル基、アラルキル基、アリール基、−［ＣＨ（Ｒ９）−ＣＨ（Ｒ１０）−Ｏ］ａ−Ｒ８、又は−［（ＣＨ２）ｂ−Ｏ］ｃ−Ｒ８で示される１価の基である。Ｒ６、Ｒ７、Ｒ９及びＲ１０は、それぞれ独立に水素原子又はメチル基、Ｒ８は水素原子、あるいは炭素数１〜１８のアルキル基、炭素数２〜１８のアルケニル基、アラルキル基、アリール基、−ＣＨＯ、−ＣＨ２ＣＨＯ、−ＣＯ−ＣＨ＝ＣＨ２、−ＣＯ−Ｃ（ＣＨ３）＝ＣＨ２又は−ＣＨ２ＣＯＯＲ１２で示される１価の基であり、Ｒ１２は水素原子又は炭素数１〜５のアルキル基である。Ｒ４、Ｒ４’、Ｒ４”及びＲ８において、アルキル基、アルケニル基、アラルキル基、アリール基はそれぞれ、置換基を有していてもよい。
ｘ及びａは０〜１８の整数、ｙ及びｂは１〜５の整数、ｚ及びｃは０〜１８の整数を示す。］
【請求項２】
前記エチレン性不飽和二重結合を有する基が、（メタ）アクリロイル基、ビニル基、又はアリル基である請求項１に記載のカラーフィルタ用顔料分散液。
【請求項３】
前記ポリマー鎖が、下記一般式（ＩＩＩ）又は一般式（ＩＶ）で表される構成単位を少なくとも１種有するものである請求項１又は２に記載のカラーフィルタ用顔料分散液。
【化３】
2009265649.tif 000003
［式（ＩＩＩ）及び（ＩＶ）中、Ｒ１’は水素原子又はメチル基、Ｒ５は炭素数１〜１８のアルキル基、炭素数１〜８のアルキレン基、アラルキル基、アリール基、シアノ基、−［ＣＨ（Ｒ６）−ＣＨ（Ｒ７）−Ｏ］ｘ−Ｒ１１、−［（ＣＨ２）ｙ−Ｏ］ｚ−Ｒ１１、−［ＣＯ−（ＣＨ２）ｙ−Ｏ］ｚ−Ｒ１１、−ＣＯ−Ｏ−Ｒ５’又は−Ｏ−ＣＯ−Ｒ１３で示される１価の基である。
Ｒ５’は、炭素数１〜１８のアルキル基、炭素数１〜８のアルキレン基、アラルキル基、アリール基、シアノ基、−［ＣＨ（Ｒ６）−ＣＨ（Ｒ７）−Ｏ］ｘ−Ｒ１１、−［（ＣＨ２）ｙ−Ｏ］ｚ−Ｒ１１、−［ＣＯ−（ＣＨ２）ｙ−Ｏ］ｚ−Ｒ１１又は−Ｏ−ＣＯ−Ｒ１３で示される１価の基であり、Ｒ１３は、炭素数１〜１８のアルキル基を示す。
ｌは１〜５の整数、ｍ及びｍ’は５〜２００の整数を示す。Ｒ６、Ｒ７、ｘ、ｙ、ｚは、上記と同じであり、Ｒ１１は上記のＲ８と同じである。］
【請求項４】
前記一般式（ＩＩ）におけるＲ４及びＲ４’のいずれかが、置換基を有していても良いアリール基又はアラルキル基である、請求項１〜３のいずれかに記載のカラーフィルタ顔料分散液。
【請求項５】
前記一般式（ＩＩ）におけるＲ４及びＲ４’が、重合性基を有するものである請求項１〜４のいずれかに記載のカラーフィルタ用顔料分散液。
【請求項６】
前記重合性基が、（メタ）アクリロイル基、ビニル基、又はアリル基である請求項５に記載のカラーフィルタ用顔料分散液。
【請求項７】
（Ｂ）顔料の平均粒径が、１０〜１００ｎｍである請求項１〜６のいずれかに記載のカラーフィルタ用顔料分散液。
【請求項８】
（Ａ）顔料分散剤として、下記一般式（Ｉ）で表される窒素含有モノマーと、ポリマー鎖及びその末端にエチレン性不飽和二重結合を有する基からなる重合性オリゴマーとを共重合成分として含有するグラフト共重合体であり、さらに前記窒素含有モノマーが有するアミノ基と下記一般式（ＩＩ）で表される有機リン酸化合物とが塩を形成したグラフト共重合体を準備する工程と、
（Ｆ）溶剤中に、前記（Ａ）顔料分散剤と、（Ｂ）顔料とを添加し、顔料を分散させる工程を有する、カラーフィルタ用顔料分散液の製造方法。
【化４】
2009265649.tif 000004
【化５】
2009265649.tif 000005
［式（Ｉ）〜（ＩＩ）中、Ｒ１は、水素原子又はメチル基、Ｒ２及びＲ３は、それぞれ独立に水素原子、又は炭素数１〜８のアルキル基、Ａは、炭素数１〜８のアルキレン基、−［ＣＨ（Ｒ６）−ＣＨ（Ｒ７）−Ｏ］ｘ−ＣＨ（Ｒ６）−ＣＨ（Ｒ７）−又は−［（ＣＨ２）ｙ−Ｏ］ｚ−（ＣＨ２）ｙ−で示される２価の基、Ｒ４及びＲ４’は、それぞれ独立に水素原子、水酸基、炭素数１〜１８のアルキル基、炭素数２〜１８のアルケニル基、アラルキル基、アリール基、−［ＣＨ（Ｒ９）−ＣＨ（Ｒ１０）−Ｏ］ａ−Ｒ８、−［（ＣＨ２）ｂ−Ｏ］ｃ−Ｒ８、又は−Ｏ−Ｒ４”で示される１価の基であり、Ｒ４及びＲ４’のいずれかは炭素原子を含む。
Ｒ４”は、炭素数１〜１８のアルキル基、炭素数２〜１８のアルケニル基、アラルキル基、アリール基、−［ＣＨ（Ｒ９）−ＣＨ（Ｒ１０）−Ｏ］ａ−Ｒ８、又は−［（ＣＨ２）ｂ−Ｏ］ｃ−Ｒ８で示される１価の基である。Ｒ６、Ｒ７、Ｒ９及びＲ１０は、それぞれ独立に水素原子又はメチル基、Ｒ８は水素原子、あるいは炭素数１〜１８のアルキル基、炭素数２〜１８のアルケニル基、アラルキル基、アリール基、−ＣＨＯ、−ＣＨ２ＣＨＯ、−ＣＯ−ＣＨ＝ＣＨ２、−ＣＯ−Ｃ（ＣＨ３）＝ＣＨ２又は−ＣＨ２ＣＯＯＲ１２で示される１価の基であり、Ｒ１２は水素原子又は炭素数１〜５のアルキル基である。Ｒ４、Ｒ４’、Ｒ４”及びＲ８において、アルキル基、アルケニル基、アラルキル基、アリール基はそれぞれ、置換基を有していてもよい。
ｘ及びａは０〜１８の整数、ｙ及びｂは１〜５の整数、ｚ及びｃは０〜１８の整数を示す。］
【請求項９】
（Ａ）顔料分散剤と、（Ｂ）顔料と、（Ｃ）アルカリ可溶性樹脂と、（Ｄ）多官能性モノマーと、（Ｅ）光開始剤と、（Ｆ）溶媒とを有するカラーフィルタ用ネガ型レジスト組成物であって、前記（Ａ）顔料分散剤が、下記一般式（Ｉ）で表される窒素含有モノマーと、ポリマー鎖及びその末端にエチレン性不飽和二重結合を有する基からなる重合性オリゴマーとを共重合成分として含有するグラフト共重合体であり、さらに前記窒素含有モノマーが有するアミノ基と下記一般式（ＩＩ）で表される有機リン酸化合物とが塩を形成したグラフト共重合体であることを特徴とするカラーフィルタ用ネガ型レジスト組成物。
【化６】
2009265649.tif 000006
【化７】
2009265649.tif 000007
［式（Ｉ）〜（ＩＩ）中、Ｒ１は、水素原子又はメチル基、Ｒ２及びＲ３は、それぞれ独立に水素原子、又は炭素数１〜８のアルキル基、Ａは、炭素数１〜８のアルキレン基、−［ＣＨ（Ｒ６）−ＣＨ（Ｒ７）−Ｏ］ｘ−ＣＨ（Ｒ６）−ＣＨ（Ｒ７）−又は−［（ＣＨ２）ｙ−Ｏ］ｚ−（ＣＨ２）ｙ−で示される２価の基、Ｒ４及びＲ４’は、それぞれ独立に水素原子、水酸基、炭素数１〜１８のアルキル基、炭素数２〜１８のアルケニル基、アラルキル基、アリール基、−［ＣＨ（Ｒ９）−ＣＨ（Ｒ１０）−Ｏ］ａ−Ｒ８、−［（ＣＨ２）ｂ−Ｏ］ｃ−Ｒ８、又は−Ｏ−Ｒ４”で示される１価の基であり、Ｒ４及びＲ４’のいずれかは炭素原子を含む。
Ｒ４”は、炭素数１〜１８のアルキル基、炭素数２〜１８のアルケニル基、アラルキル基、アリール基、−［ＣＨ（Ｒ９）−ＣＨ（Ｒ１０）−Ｏ］ａ−Ｒ８、又は−［（ＣＨ２）ｂ−Ｏ］ｃ−Ｒ８で示される１価の基である。Ｒ６、Ｒ７、Ｒ９及びＲ１０は、それぞれ独立に水素原子又はメチル基、Ｒ８は水素原子、あるいは炭素数１〜１８のアルキル基、炭素数２〜１８のアルケニル基、アラルキル基、アリール基、−ＣＨＯ、−ＣＨ２ＣＨＯ、−ＣＯ−ＣＨ＝ＣＨ２、−ＣＯ−Ｃ（ＣＨ３）＝ＣＨ２又は−ＣＨ２ＣＯＯＲ１２で示される１価の基であり、Ｒ１２は水素原子又は炭素数１〜５のアルキル基である。Ｒ４、Ｒ４’、Ｒ４”及びＲ８において、アルキル基、アルケニル基、アラルキル基、アリール基はそれぞれ、置換基を有していてもよい。
ｘ及びａは０〜１８の整数、ｙ及びｂは１〜５の整数、ｚ及びｃは０〜１８の整数を示す。］
【請求項１０】
前記エチレン性不飽和二重結合を有する基が、（メタ）アクリロイル基、ビニル基、又はアリル基である請求項９に記載のカラーフィルタ用ネガ型レジスト組成物。
【請求項１１】
前記ポリマー鎖が、下記一般式（ＩＩＩ）又は一般式（ＩＶ）で表される構成単位を少なくとも１種有するものである請求項９又は１０に記載のカラーフィルタ用ネガ型レジスト組成物。
【化８】
2009265649.tif 000008
［式（ＩＩＩ）及び（ＩＶ）中、Ｒ１’は水素原子又はメチル基、Ｒ５は炭素数１〜１８のアルキル基、炭素数１〜８のアルキレン基、アラルキル基、アリール基、シアノ基、−［ＣＨ（Ｒ６）−ＣＨ（Ｒ７）−Ｏ］ｘ−Ｒ１１、−［（ＣＨ２）ｙ−Ｏ］ｚ−Ｒ１１、−［ＣＯ−（ＣＨ２）ｙ−Ｏ］ｚ−Ｒ１１、−ＣＯ−Ｏ−Ｒ５’又は−Ｏ−ＣＯ−Ｒ１３で示される１価の基である。
Ｒ５’は、炭素数１〜１８のアルキル基、炭素数１〜８のアルキレン基、アラルキル基、アリール基、シアノ基、−［ＣＨ（Ｒ６）−ＣＨ（Ｒ７）−Ｏ］ｘ−Ｒ１１、−［（ＣＨ２）ｙ−Ｏ］ｚ−Ｒ１１、−［ＣＯ−（ＣＨ２）ｙ−Ｏ］ｚ−Ｒ１１又は−Ｏ−ＣＯ−Ｒ１３で示される１価の基であり、Ｒ１３は、炭素数１〜１８のアルキル基を示す。
ｌは１〜５の整数、ｍ及びｍ’は５〜２００の整数を示す。Ｒ６、Ｒ７、ｘ、ｙ、ｚは、上記と同じであり、Ｒ１１は上記のＲ８と同じである。］
【請求項１２】
前記一般式（ＩＩ）におけるＲ４及びＲ４’のいずれかが、置換基を有していても良いアリール基又はアラルキル基である、請求項９〜１１のいずれかに記載のカラーフィルタ用ネガ型レジスト組成物。
【請求項１３】
前記一般式（ＩＩ）におけるＲ４及びＲ４’が、重合性基を有するものである請求項９〜１２のいずれかに記載のカラーフィルタ用ネガ型レジスト組成物。
【請求項１４】
前記重合性基が、（メタ）アクリロイル基、ビニル基、又はアリル基である請求項１３に記載のカラーフィルタ用ネガ型レジスト組成物。
【請求項１５】
（Ｂ）顔料の平均粒径が、１０〜１００ｎｍである請求項９〜１４のいずれかに記載のカラーフィルタ用ネガ型レジスト組成物。
【請求項１６】
（Ｄ）多官能性モノマーが、エチレン性不飽和結合を２個以上有する化合物である請求項９〜１５のいずれかに記載のカラーフィルタ用ネガ型レジスト組成物。
【請求項１７】
エチレン性不飽和結合を２個以上有する化合物が、多官能（メタ）アクリレートである請求項１６に記載のカラーフィルタ用ネガ型レジスト組成物。
【請求項１８】
（Ａ）顔料分散剤として、下記一般式（Ｉ）で表される窒素含有モノマーと、ポリマー鎖及びその末端にエチレン性不飽和二重結合を有する基からなる重合性オリゴマーとを共重合成分として含有するグラフト共重合体であり、さらに前記窒素含有モノマーが有するアミノ基と下記一般式（ＩＩ）で表される有機リン酸化合物とが塩を形成したグラフト共重合体を準備する工程と、
（Ｆ）溶剤中に、前記（Ａ）顔料分散剤と、（Ｂ）顔料とを添加し、顔料を分散させて顔料分散液を調製する工程と、
前記工程で得られた顔料分散液に、（Ｃ）アルカリ可溶性樹脂と、（Ｄ）多官能性モノマーと、（Ｅ）光重合開始剤とを添加し混合する工程を有する、カラーフィルタ用ネガ型レジスト組成物の製造方法。
【化９】
2009265649.tif 000009
【化１０】
2009265649.tif 000010
［式（Ｉ）〜（ＩＩ）中、Ｒ１は、水素原子又はメチル基、Ｒ２及びＲ３は、それぞれ独立に水素原子、又は炭素数１〜８のアルキル基、Ａは、炭素数１〜８のアルキレン基、−［ＣＨ（Ｒ６）−ＣＨ（Ｒ７）−Ｏ］ｘ−ＣＨ（Ｒ６）−ＣＨ（Ｒ７）−又は−［（ＣＨ２）ｙ−Ｏ］ｚ−（ＣＨ２）ｙ−で示される２価の基、Ｒ４及びＲ４’は、それぞれ独立に水素原子、水酸基、炭素数１〜１８のアルキル基、炭素数２〜１８のアルケニル基、アラルキル基、アリール基、−［ＣＨ（Ｒ９）−ＣＨ（Ｒ１０）−Ｏ］ａ−Ｒ８、−［（ＣＨ２）ｂ−Ｏ］ｃ−Ｒ８、又は−Ｏ−Ｒ４”で示される１価の基であり、Ｒ４及びＲ４’のいずれかは炭素原子を含む。
Ｒ４”は、炭素数１〜１８のアルキル基、炭素数２〜１８のアルケニル基、アラルキル基、アリール基、−［ＣＨ（Ｒ９）−ＣＨ（Ｒ１０）−Ｏ］ａ−Ｒ８、又は−［（ＣＨ２）ｂ−Ｏ］ｃ−Ｒ８で示される１価の基である。Ｒ６、Ｒ７、Ｒ９及びＲ１０は、それぞれ独立に水素原子又はメチル基、Ｒ８は水素原子、あるいは炭素数１〜１８のアルキル基、炭素数２〜１８のアルケニル基、アラルキル基、アリール基、−ＣＨＯ、−ＣＨ２ＣＨＯ、−ＣＯ−ＣＨ＝ＣＨ２、−ＣＯ−Ｃ（ＣＨ３）＝ＣＨ２又は−ＣＨ２ＣＯＯＲ１２で示される１価の基であり、Ｒ１２は水素原子又は炭素数１〜５のアルキル基である。Ｒ４、Ｒ４’、Ｒ４”及びＲ８において、アルキル基、アルケニル基、アラルキル基、アリール基はそれぞれ、置換基を有していてもよい。
ｘ及びａは０〜１８の整数、ｙ及びｂは１〜５の整数、ｚ及びｃは０〜１８の整数を示す。］
【請求項１９】
請求項９〜１７のいずれかに記載のカラーフィルタ用ネガ型レジスト組成物、又は請求項１８に記載の製造方法により得られたカラーフィルタ用ネガ型レジスト組成物を用いて形成されてなる着色層を有することを特徴とするカラーフィルタ。
【請求項２０】
請求項１９に記載のカラーフィルタを有することを特徴とする液晶表示装置。